(57)【要約】【課題】  変化に富んだ遊泳動作を与え、対象魚の興味を誘い、釣果の向上を図るとともに、簡単な構成で低コスト化を図ったルアーを得る。【解決手段】  ルアー本体１の内部に移動可能な錘５を収容したルアーであって、ルアー本体１の内部に、錘５を前後左右方向に移動自在に収容する錘移動空間６を備えることにより、錘移動空間６内における錘５の移動で、ルアー本体１の重心が錘５の移動とともに移動し、この重心移動により、ルアー本体１の遊泳運動に不規則で複雑な動きを与えることができるようにした。【選択図】  図１
2012044963.tif 000002
【特許請求の範囲】
【請求項１】
ルアー本体内部に移動可能な錘を収容したルアーであって、前記ルアー本体内部に、前記錘を前後左右方向へ移動自在に収容する錘移動空間を備えたことを特徴とするルアー。
【請求項２】
前記ルアー本体と前記錘には、磁力により前記錘をルアー本体の左右方向の中間位置に保持する錘保持手段が設けられていることを特徴とする請求項１に記載のルアー。
【請求項３】
前記錘保持手段は、磁性体で構成された錘と、ルアー本体に設けられた磁石からなることを特徴とする請求項２に記載のルアー。
【発明の詳細な説明】
【技術分野】
【０００１】
本発明は、重心移動により変化に富んだ遊泳動作を作り出す魚型の疑似餌、いわゆるルアーに関する。
【背景技術】
【０００２】
ルアーフィッシングが盛んになり、ミノープラグ、バイブレーションプラグ等、数多くの種類のルアーが開発され使用されている。ルアーフィッシングは、リーリング操作でルアーに小魚が泳いでいるかの如き動作をさせて、対象魚の興味を誘い釣り上げるものであり、ルアーには小魚が泳いでいるかの如き動作をする工夫が要求さる。
【０００３】
このようなルアーとして、ルアー本体の内部に前後方向へ直線的に延びる中空のガイド通路を形成し、このガイド通路に球体の錘を収納して、この錘をリーリング操作によって前後方向へ移動させることにより、ルアーの遊泳動作に変化を持たせたルアーが提案されている（例えば、特許文献１参照。）。
【０００４】
また、ルアー本体の前頭部近傍と後尾部近傍とにそれぞれ第１の錘と第２の錘を収納し、第１の錘をルアー本体の左右方向へ移動自在に設けることにより、第２の錘を支点とする第１の錘の左右方向への移動によって、ルアー本体の横方向への首振りを可能にしたルアーが提案されている（例えば、特許文献２参照。）。
【先行技術文献】
【特許文献】
【０００５】
【特許文献１】実公平３−１５０２１号公報
【特許文献２】実開平６−９４６０号公報
【発明の概要】
【発明が解決しようとする課題】
【０００６】
しかしながら、上記したルアーにあっては、錘の移動する方向がルアー本体の前後方向や左右方向の一方向であるため、ルアーの遊泳動作はいきおい規則的で単純なものとなり、本物の小魚のような動きが得難いといった問題があった。
【０００７】
また、特許文献２で提案されているルアーにあっては、ルアー本体の前頭部近傍と後尾部近傍とにそれぞれ第１の錘と第２の錘を収納しているため、構成が複雑で製造が面倒となり、コスト高になるといった問題があった。
【０００８】
本発明の目的は、変化に富んだ遊泳動作を与え、対象魚の興味を誘い、釣果の向上を図るとともに、簡単な構成で低コスト化を図ったルアーを提供することにある。
【課題を解決するための手段】
【０００９】
上記の目的を達成するために、請求項１に記載の発明は、ルアー本体内部に移動可能な錘を収容したルアーであって、前記ルアー本体内部に、前記錘を前後左右方向へ移動自在に収容する錘移動空間を備えたことを特徴とする。
【００１０】
請求項２に記載の発明は、請求項１に記載の、前記ルアー本体と前記錘には、磁力により前記錘をルアー本体の左右方向の中間位置に保持する錘保持手段が設けられていることを特徴とする。
【００１１】
請求項３に記載の発明は、請求項２に記載の、前記錘保持手段は、磁性体で構成された錘と、ルアー本体に設けられた磁石からなることを特徴とする。
【発明の効果】
【００１２】
請求項１に記載のルアーによれば、ルアー本体内部に、錘を前後左右方向へ移動自在に収容する錘移動空間を備えているので、錘が錘移動空間内を自在に移動することにより、ルアー本体の重心が錘の移動とともに移動し、この重心移動により、ルアー本体の遊泳運動に不規則で複雑な動きを与えることができ、魚の誘引効果を向上させることができる。
さらには、構成が簡単なので製造が容易であり、安価に得ることができる。
【００１３】
請求項２に記載のルアーによれば、ルアー本体と錘とには、磁力により錘をルアー本体の左右方向の中間位置に保持する錘保持手段が設けられているので、ルアー本体をステイさせたとき、錘移動空間内の錘は、磁力によりルアー本体の左右方向の中間位置に保持されるため、水平姿勢を再現し保持することができる。そして、ルアー本体をステイさせた後、再度リーリング操作を開始したときは、リーリング操作によってルアー本体が受ける外圧（衝撃）により、磁力による錘の保持が解かれ、再度ルアー本体に不規則で複雑な動きを与えることができるので、ルアー本体の動きのコントロールが容易となり、魚の誘引効果を一層向上させることができる。
【００１４】
請求項３に記載のルアーによれば、錘保持手段は、磁性体で構成された錘と、ルアー本体に設けられた磁石からなるので、錘をルアー本体の左右方向の中間位置に確実に引きつけ保持することができる。
【図面の簡単な説明】
【００１５】
【図１】本発明に係るルアーの実施の形態の一例を示す縦断面図である。
【図２】図１のＡ−Ａ線断面図である。
【図３】図１のＢ−Ｂ線断面図である。
【発明を実施するための形態】
【００１６】
以下、本発明に係るルアーにおける実施の形態を図面を参照して詳細に説明する。
図１乃至図３は本発明に係るルアーにおける実施の形態の一例を示すものであり、図１は縦断面図、図２は図１のＡ−Ａ線断面図、図３は図１のＢ−Ｂ線断面図である。
【００１７】
本例のルアーは、外形が対象魚の餌、例えば小魚に似るように成形されたルアー本体１を備えている。ルアー本体１は、左右に縦割りされてなる一対のピースを合成樹脂等により成形し、この一対のピースを接着又は溶着等により両者を一体にして形成される。
【００１８】
ルアー本体１の頭部には、釣糸を取り付けるための釣糸止着部２が設けられ、ルアー本体１の尾部及び腹部には、釣針を取り付けるための釣針止着部３が設けられている。本例では、釣糸止着部２と釣針止着部３は１本の線状基材４に一体に形成されており、線状基材４はルアー本体１の一対のピースを接合して一体化する際に、そのピース間に挟み込まれて固着されている。
【００１９】
ルアー本体１の内部には、錘５を前後左右方向に移動可能に収容する錘移動空間６を備えている。錘移動空間６に収容される錘５は、鉄やタングステン等の比重の大きい材料により球体に形成されている。
【００２０】
錘移動空間６にあっては、ルアー本体１の内部に設けられ、前後左右に広がる所定のエリア７を仕切る側壁部８と、この側壁部８で仕切られたエリア７の上下に位置し、エリア７の上下を塞ぐ上面部９と下面部１０とにより形成されている。上面部９と下面部１０は、エリア７にある錘５の上下方向の移動を規制し、エリア７内を、前後左右方向（斜め方向、周方向も含む。）へ自由に移動可能とするものであり、その間隔は、錘５の直径よりわずかに大きい寸法となっている。
【００２１】
また、側壁部８で仕切られたエリア７の内部輪郭形状にあっては、本例では、円形に形成されているがこれに限定されず、楕円形、多角形等の形状であってもよい。
【００２２】
また、本例では、ルアー本体１と錘５とには、磁力により錘５をルアー本体１の左右方向の中間位置に保持する錘保持手段１１が設けられている。錘保持手段１１にあっては、本例では、ルアー本体１に設けられた磁石１２と磁性体からなる錘５とにより構成されている。
【００２３】
磁性体からなる錘５は、磁石１２に引き付けられる磁性を示す物質、例えば、常温で強磁性を示す磁性物質で作られている。この物質としては、鉄（Ｆｅ），ニッケル（Ｎｉ），コバルト（Ｃｏ）などの強磁性体、或いはこれらの金属元素を含む合金（Ｆｅ−Ｎｉ，Ｆｅ−Ｃｏ，Ｎｉ−Ｃｏ，Ｎｉ−Ｃｒなどの合金），酸化物，磁石素材などを使用できる。また、錘５は、上述したような磁性物質と、磁石１２に引き付けられない物質とで、磁石１２に磁着されるように加工したものでもよい。磁石１２に引き付けられない物質として、例えば、銅（Ｃｕ），銀（Ａｇ），鉛（Ｐｂ），タングステン（Ｗ），モリブデン（Ｍｏ）などの比重の大きい物質を使用できる。
【００２４】
一方、ルアー本体１に設けられる磁石１２は、鉄を主体としたフェライト、希土類元素等を型で焼結したものである。磁石１２が錘５を保持する力（磁力）、即ち、保持された錘５が磁石１２から解除される力は、磁石１２の磁力の調整で任意に設定することができる。本例では、ルアー本体１をステイしたときは、錘５が磁石１２の磁力によって保持され、リーリング操作の開始でルアー本体１が受ける小さな外圧（衝撃）により、磁石１２による錘５の保持が容易に解かれる程度の磁力に設定されている。また、ルアー本体１に設けられた磁石１２は、本例では錘移動空間６を構成する上面部９の中央に設けられているが、下面部１０の中央に設けられていてもよい。
【００２５】
次ぎに、このように構成された本例のルアーの作用について説明する。まず、竿先のガイドよりわずかに釣糸を出した状態でルアー本体１を垂下させ、ルアー本体１を所定の位置にキャスティングする。このとき、錘５は慣性により錘移動空間６の後端側へ移動し、ルアー本体１は飛行方向に最尾部を向けた姿勢で飛行する。
そして、ルアー本体１が着水した後、リーリングを開始すると、ルアー本体１は前方向へ移動しながら、その形状に応じた遊泳運動を行い、この遊泳運動によるルアー本体１の動きによって、錘５は移動空間６内を前後左右方向に不規則に移動する（図３参照。）。この錘５の移動によってルアー本体１の重心が移動することにより、ルアー本体１は周期的な運動とは異なる不規則で複雑な運動を行う。
【００２６】
本例では、ルアー本体１と錘５とには、磁力により錘５をルアー本体１の左右方向の中間位置に保持する錘保持手段１１が設けられているので、ルアー本体１をキャスティングすると、錘５は慣性によって磁石１２による保持から解かれ、錘移動空間６の後端側へ移動して、ルアー本体１は飛行方向に尾部を向けた姿勢で飛行する。ルアー本体１が着水すると、ルアー本体１が全体の重さのバランスによって水平姿勢をとろうとしたとき、錘移動空間６内の錘５は、錘移動空間６の上面部９の中央に設けられた磁石１２の磁力に引きつけられて、ルアー本体１の左右方向の中間位置へ移動し、磁石１２に磁着して同位置に保持され、これにより、ルアー本体１が確実に水平姿勢となり、同姿勢に保持される。
そして、水平姿勢となったルアー本体１に対してリーリング操作を開始し、リーリングに緩急操作を加えることにより、ルアー本体１が受ける小さな外圧（衝撃）によって、錘５は磁石１２による保持から解かれ、ルアー本体１の動きに応じて錘移動空間６内を不規則に移動する。この錘５の移動によってルアー本体１の重心が移動することにより、ルアー本体１は周期的な運動とは異なる不規則で複雑な運動を起こす。
【００２７】
また、ルアー本体１にアクションをつけるためルアー本体１をステイしたとき、錘移動空間６内の錘５は、錘移動空間６の上面部９の中央に設けら磁石１２の磁力に引きつけられて、ルアー本体１の左右方向の中間位置へ移動し、磁石１２に磁着して同位置に保持され、これにより、ルアー本体１の水平姿勢が容易に再現される。そして、水平姿勢となったルアーに対して再度リーリング操作を開始することにより、錘５は磁石１２による保持から解かれ、ルアー本体１の動きに応じて錘移動空間６内を不規則に移動し、この錘５の移動によってルアー本体１の重心が移動することにより、ルアー本体１は周期的な運動とは異なる不規則で複雑な運動を起こすことから、リーリング操作によりルアー本体１の動きのコントロールが容易となり、魚の誘引効果を一層向上させることができる。
【符号の説明】
【００２８】
１  ルアー本体
２  釣糸止着部
３  釣針止着部
４  線状基材
５  錘
６  錘移動空間
７  エリア
８  側壁部
９  上面部
１０  下面部
１１  錘保持手段
１２  磁石
【図１】
2012044963.tif 000003
【図２】
2012044963.tif 000004
【図３】
2012044963.tif 000005